(57)【要約】【課題】  給電のための構造と配置のための構造とが兼ねており電源に係る配線が不要で、且つ給電係止バーの任意の位置に表示装置本体を設けることが可能で、表示変更の自由度に優れる表示装置を提供することにある。【解決手段】  光源である発光手段を内部に有する表示装置本体と、表示装置本体に設けられ、表示装置本体を設置する場所に係止するための係止部材と、係止部材を係止可能な棒材であって、発光手段の電源の極数に応じて設けられると共に光源を発光させるための電力を供給可能に設けられた給電係止バーとを備え、係止部材が導電性を有し、係止部材が発光手段の電源の極数に応じて設けられると共に発光手段の電源の電極に接続され、係止部材を用いて表示装置本体を給電係止バーに着脱自在に係止することにより、給電係止バー及び係止部材を介して、発光手段に電力が供給されることを特徴とする。【選択図】図１
2015135434.tif 000002
【特許請求の範囲】
【請求項１】
光源による光で情報の表示を行う表示装置において、
該光源である発光手段を内部に有する表示装置本体と、
該表示装置本体に設けられ、該表示装置本体を設置する場所に係止するための係止部材と、
該係止部材を係止可能な棒材であって、該発光手段の電源の極数に応じて設けられると共に該光源を発光させるための電力を供給可能に設けられた給電係止バーとを備え、
該係止部材が導電性を有し、該係止部材が該発光手段の該電源の極数に応じて設けられると共に該発光手段の該電源の電極に接続され、
該係止部材を用いて該表示装置本体を該給電係止バーに着脱自在に係止することにより、該給電係止バー及び該係止部材を介して、該発光手段に該電力が供給されることを特徴とする表示装置。
【請求項２】
前記給電係止バーが、表面の一部に長手方向に沿って導通線路を有し、
前記表示装置本体に設けられた前記係止部材の一部が、該導電線路に接触可能に設けられていることを特徴とする請求項１記載の表示装置。
【請求項３】
前記表示装置本体が、前記情報の最小単位を表示するように形成されていることを特徴とする請求項１又は請求項２記載の表示装置。
【請求項４】
前記表示装置本体が、１文字を表示するように形成されていることを特徴とする請求項３記載の表示装置。
【発明の詳細な説明】
【技術分野】
【０００１】
本発明は、光源による光で情報の表示を行う表示装置に関する。
【背景技術】
【０００２】
従来より、光源による光で情報の表示を行う表示装置としては、いろいろな形態のものが提案されている。例えば、特許文献１に示される表示装置は、装置本体に、発光部と点灯装置と表示部とを有し、発光部の照射光が表示部の上端面から内部に入射すると、表示部の内部で反射されて前面から外部に放射されることで、前面の絵柄を光らせて表示を行う構造になっている。そして、点灯装置は、常用電源又は予備電源から電力供給を受けて発光部を点灯させる。
【先行技術文献】
【特許文献】
【０００３】
【特許文献１】特開２０１３−９７１１１号公報
【発明の概要】
【発明が解決しようとする課題】
【０００４】
しかしながら、従来の表示装置だと、電源に係る配線が必要で、一旦、表示装置を設置してしまうと、設置場所や配置を変更する場合に配線も変更する必要があり、配置の変更が困難で、表示変更の自由度が低い。
【０００５】
本発明は、このような事情に鑑みてなされたもので、給電のための構造と配置のための構造とが兼ねており電源に係る配線が不要で、且つ給電係止バーの任意の位置に表示装置本体を設けることが可能で、表示変更の自由度に優れる表示装置を提供することにある。
【課題を解決するための手段】
【０００６】
請求項１記載の表示装置は、光源である発光手段を内部に有する表示装置本体と、表示装置本体に設けられ、表示装置本体を設置する場所に係止するための係止部材と、係止部材を係止可能な棒材であって、発光手段の電源の極数に応じて設けられると共に光源を発光させるための電力を供給可能に設けられた給電係止バーとを備え、係止部材が導電性を有し、係止部材が発光手段の電源の極数に応じて設けられると共に発光手段の電源の電極に接続され、係止部材を用いて表示装置本体を給電係止バーに着脱自在に係止することにより、給電係止バー及び係止部材を介して、発光手段に電力が供給されることを特徴とする。
【０００７】
請求項２記載の表示装置は、給電係止バーが、表面の一部に長手方向に沿って導通線路を有し、表示装置本体に設けられた係止部材の一部が、導電線路に接触可能に設けられていることを特徴とする。
【０００８】
請求項３記載の表示装置は、表示装置本体が、情報の最小単位を表示するように形成されていることを特徴とする。
【０００９】
請求項４記載の表示装置は、表示装置本体が、１文字を表示するように形成されていることを特徴とする。
【発明の効果】
【００１０】
請求項１に記載の発明によれば、係止部材を用いて表示装置本体を給電係止バーに着脱自在に係止することにより、給電係止バー及び係止部材を介して発光手段に電力が供給されることから、給電のための構造と配置のための構造とが兼ねており電源に係る配線が不要で、且つ給電係止バーの任意の位置に表示装置本体を設けることが可能で、表示変更の自由度に優れている。
【００１１】
請求項２に記載の発明によれば、給電係止バーが、表面の一部に長手方向に沿って導通線路を有し、表示装置本体に設けられた係止部材の一部が、導電線路に接触可能に設けられていることから、給電係止バーの導通部分が占める割合を抑え、意匠性を向上させることができる。
【００１２】
請求項３に記載の発明によれば、情報の最小単位を表示するように形成させることで、表示装置本体を給電係止バーに対して着脱することで、情報の並びを任意に変更することが可能である。
【００１３】
請求項４に記載の発明によれば、表示装置本体を、１文字を表示するように形成させることで、文字の並びを自由に変更でき、適宜並びを変更することにより、多彩な情報の表示が可能になる。
【図面の簡単な説明】
【００１４】
【図１】本発明に係る表示装置の一例を示す説明図である。
【図２】同表示装置の使用の様子を示す説明図である。
【図３】同表示装置の構造を示す説明図である。
【図４】同表示装置の内側の構造を示す説明図である。
【図５】同表示装置の使用例を示す説明図である。
【発明を実施するための形態】
【００１５】
以下、本発明の形態について図面を参照しながら具体的に説明する。図１は、本発明に係る表示装置の一例を示す説明図である。図２は、同表示装置の使用の様子を示す説明図である。図３は、同表示装置の構造を示す説明図である。図４は、同表示装置の内側の構造を示す説明図である。図５は、同表示装置の使用例を示す説明図である。
【００１６】
図における表示装置１は、光源による光で情報の表示を行うもので、表示装置本体１０と給電係止バー３０ａ，３０ｂとから構成されている。表示装置本体１０を形成する表示装置筐体１２は、表示が指し示される側が開口した箱状で、その開口は、透光性の板材であるフロントカバー１４が装着されている。また、表示装置本体１０は、光源である発光手段を内部に有し、この発光手段としては、本実施の形態では基板２０に設けられた複数のＬＥＤ２４で形成されている。
【００１７】
発光手段としての基板２０及びＬＥＤ２４であるが、基板２０の表面に、マス目状に複数の電極２２ａ，２２ｂが設けられ、その電極２２ａ，２２ｂに跨ぐようにＬＥＤ２４が半田付けされている。基板２０の電極２２ａ，２２ｂは、ブラスとマイナスとにグループ分けされており、本実施の形態では、電極２２ａがプラスの電源側であり、電極２２ｂがマイナスの電源側の電極になっている。そして、電極２２ａのグループには、基板２０の背面から通された電線２６を介し、電極２２ｂのグループには、基板２０の背面から通された電線２８を介し、プラス及びマイナスとが相まって電力が供給される。尚、本実施の形態では、基板２０及びその基板２０に設けられたＬＥＤ２４により発光手段としているが、ＬＥＤに限らず、電球でも良いし、他の電力を供給することにより発光する光源であればよい。
【００１８】
表示装置本体１０の表示装置筐体１２の裏面には、略逆Ｊ字状の係止部材１６，１８が、複数設けられている。この係止部材１６，１８は、導電性を有し、後述する給電係止バー３０ａ，３０ｂに着脱自在に係止可能で、表示装置本体１０を設置する場所に係止するための部材である。係止部材１６，１８は、バネ板１６ａ，１８ａを有し、バネ板１６ａ，１８ａ自体が後述する給電係止バー３０ａ，３０ｂ方向に付勢されている。
【００１９】
係止部材１６，１８には、背後（表示装置筐体１２の裏面側）から電線２６，２８が接続されている。尚、係止部材１６には電線２６が接続され、係止部材１８には電線２８が接続されることにより、係止部材１６は基板２０のプラス側に、係止部材１８は基板２０のマイナス側に接続される。すなわち、係止部材１６，１８が発光手段の電源の極数に応じて設けられると共に発光手段の電源の電極に接続されている。
【００２０】
給電係止バー３０ａ，３０ｂは、表示装置本体１０の係止部材１６，１８を係止可能な棒材であって、発光手段の電源の極数に応じて設けられると共に光源を発光させるための電力を供給可能に設けられている。本実施の形態における発光手段がＬＥＤ２４であり、極数としてはプラスとマイナスなので、２本設けられている。そして、給電係止バー３０ａがプラス側、給電係止バー３０ｂがマイナス側として電力が供給される。
【００２１】
そして、係止部材１６，１８を用いて表示装置本体１０を給電係止バー３０ａ，３０ｂに係止することにより、給電係止バー３０ａ，３０ｂ及び係止部材１６，１８を介して、発光手段であるＬＥＤ２４に電力が供給され、ＬＥＤ２４が発光し、表示装置１で情報が表示されることになる。尚、本実施の形態では、発光手段である光源のＬＥＤ２４の電源の極数に応じて２本の給電係止バー３０ａ，３０ｂを設けているが、光源の形態によって、電源の極数も異なり、係止部材や給電係止バーの数も異なってくる。また、尚、係止部材１６，１８及び給電係止バー３０ａ，３０ｂの形状は、図に示す形状に限られるものではなく、表示装置本体１０を着脱自在に配置可能な形状であればよい。
【００２２】
以上のように構成された表示装置１によれば、係止部材１６，１８を用いて表示装置本体１０を給電係止バー３０ａ，３０ｂに着脱自在に係止することにより、給電係止バー３０ａ，３０ｂ及び係止部材１６，１８を介して発光手段であるＬＥＤ２４に電力が供給されることから、給電のための構造と配置のための構造とが兼ねており電源に係る配線が不要で、且つ給電係止バー３０ａ，３０ｂの任意の位置に表示装置本体１０を設けることが可能で、表示変更の自由度に優れている。
【００２３】
尚、図に示す給電係止バー３０ａ，３０ｂは、１本の棒状の部材で電力を供給可能に設けられているが、給電係止バー３０ａ，３０ｂの外表面のすべてで通電される必要はなく、表示装置本体１０の係止部材１６，１８と接する部分だけ通電されていればよい。具体的には、例えば、給電係止バーが、表面の一部に長手方向に沿って導通線路を有し、表示装置本体１０に設けられた係止部材１６，１８の一部が、導電線路に接触可能に設けられるような構造であってもよい。このように、表面の一部に導通線路を設けることで、導通部分が占める割合を抑え、意匠性を向上させることができる。
【００２４】
尚、図に示す表示装置１の表示装置本体１０では、表示装置本体１０がＮの文字をあしらった表示になっているが、必ずしも１文字を表示しなくとも、複数の文字を一体にしたものでもよいし、図柄でもよいし、文字と図柄とが組み合わされたものでもよいし、表示する内容によって制限されるものではない。他方、表示装置本体１０を、情報の最小単位を表示するように形成させることで、表示装置本体１０を給電係止バー３０ａ，３０ｂに対して着脱することで、情報の並びを任意に変更することが可能である。特に、図５に示すように、表示装置本体１０を、１文字を表示するように形成させることで、文字の並びを自由に変更でき、適宜並びを変更することにより、多彩な情報の表示が可能になる。
【産業上の利用可能性】
【００２５】
以上のように、本発明によれば、電源に係る配線が不要で、且つ給電係止バーの任意の位置に表示装置本体を設けることが可能で、表示変更の自由度に優れる表示装置を提供することができる。
【符号の説明】
【００２６】
１・・・・・表示装置
１０・・・・表示装置本体
１０ａ・・・表示装置本体
１０ｂ・・・表示装置本体
１０ｃ・・・表示装置本体
１２・・・・表示装置筐体
１４・・・・フロントカバー
１６・・・・係止部材
１６ａ・・・バネ板
１８・・・・係止部材
１８ａ・・・バネ板
２０・・・・基板
２２ａ・・・電極
２２ｂ・・・電極
２４・・・・ＬＥＤ
２６・・・・電線
２８・・・・電線
３０ａ・・・給電係止バー
３０ｂ・・・給電係止バー
【図１】
2015135434.tif 000003
【図２】
2015135434.tif 000004
【図３】
2015135434.tif 000005
【図４】
2015135434.tif 000006
【図５】
2015135434.tif 000007